(57)【要約】      （修正有）【課題】ファインダー部の外面に露出したレンズ表面の異物を迅速に除去し、外部からの入光の遮光を同時に達成できるファインダ部に装着可能なアクセサリを提供する。【解決手段】被写体像を観察するためのファインダー部１２２とファインダー部に装着されるアイカップと、スライド操作可能な操作部材２０７と、操作部材２０７のスライド操作により移動可能な弾性部材２０６を備え、弾性部材２０６はファインダー部１２２が被写体観察可能な第1の位置と、被写体観察不可能なファインダー部を覆う第２の位置まで移動可能であり、弾性部材２０６のファインダー部側は清掃に適した清掃面となっており、弾性部材２０６が第２の位置の時にファインダー部１２２方向に押すことにより、弾性部材２０６の清掃面はファインダー部１２２と接するとともに、押す方向によりファインダー部の形状に沿って移動できる伸縮性を有す。【選択図】図６
2016206566.tif 000002
【特許請求の範囲】
【請求項１】
被写体像を観察するためのファインダー（１２２）部と前記ファインダー（１２２）部に装着されるアイカップ（１２６）と、前記アイカップ（１２６）には移動操作可能な操作部材（２０７）と、前記操作部材（２０７）の移動操作により、移動可能な伸縮部材（２０６）を備えており、
前記伸縮部材（２０６）はファインダー（１２２）部が被写体観察可能な第1の位置と、被写体観察不可能なファインダー（１２２）部を覆う第２の位置まで移動可能であって、
前記伸縮部材（２０６）のファインダー（１２２）部側は清掃に適した清掃面（２０６ａ）となっており、 
前記伸縮部材（２０６）が第２の位置の時に、伸縮部材（２０６）をファインダー部方向に押すことにより、伸縮部材（２０６）の清掃面（２０６ａ）はファインダー（１２２）部と接するとともに、押す方向によりファインダー部の形状に沿って移動できる伸縮性を有していることを特徴とするアクセサリ 。
【請求項２】
前記伸縮部材（２０６）の撮影者側には回転操作可能な可動部材（２３０）を備え、前記可動部材（２３０）の操作により伸縮部材（２０６）のファインダー部側の清掃面も回転動作するようになっており、前記操作部材（２０７）の移動操作で伸縮部材（２０６）を第２の位置に移動すると前記可動部材（２３０）はファインダー（１２２）部の中央位置付近に位置する
この状態で前記可動部材（２３０）をファインダー部方向に押すと、伸縮部材（２０６）の清掃面（２０６ａ）はファインダー（１２２）部に接するとともに、可動部材（２３０）を回転させることにより、伸縮部材（２０６）の清掃面（２０６ａ）もファインダー（１２２）部の形状に沿って回転移動するようにしたことを特徴とする請求項１記載のアクセサリ。
【請求項３】
被写体像を観察するためのファインダー（１２２）部と前記ファインダー（１２２）部に装着されるアイカップ（１２６）と、前記アイカップ（１２６）には移動操作可能な操作部材（２０７）と、前記操作部材（２０７）の移動操作により、移動可能な弾性部材（２０２）と前記弾性部材に保持された伸縮部材（２０６）を備えており、
前記弾性部材（２０２）及び伸縮部材（２０６）はファインダー（１２２）部が被写体観察可能な第1の位置と、被写体観察不可能なファインダー（１２２）部を覆う第２の位置まで移動可能であって、前記操作部材（２０７）の移動操作で弾性部材（２０２）及び伸縮部材（２０６）を第２の位置に移動すると、操作部材（２０７）はファインダー（１２２）部の中央位置付近に位置する
前記伸縮部材（２０６）のファインダー部側は清掃に適した清掃面（２０６ａ）となっており、 この状態で操作部材（２０７）をファインダー部方向に押すことにより、伸縮部材（２０６）の清掃面（２０６ａ）はファインダー（１２２）部と接するとともに、操作部材（２０７）の回転操作により、ファインダー部の形状に沿って回転移動するようにしたことを特徴とするアクセサリ 。
【請求項４】
前記弾性部材（２０２）及び前記伸縮部材（２０６）は遮光性を有しており、弾性部材（２０２）及び伸縮部材（２０６）が第２の位置の時には外光がファインダー部から入光しないようにしたことを特徴とする請求項１乃至請求項３の何れか一項に記載のアクセサリ。
【発明の詳細な説明】
【技術分野】
【０００１】
本発明は、被写体像を観察するためのファインダー部に装着されるアイカップに関し、特にファインダー部の異物除去と外光の遮光に関する。
【背景技術】
【０００２】
従来、一眼レフカメラの被写体像を観察するファインダー部は、撮影レンズからの被写体像を反射ダハミラーやペンタダハプリズムを介して正立像をファインダー部に導くようにしている。ファインダー部は複数の接眼レンズで構成されており、撮影者が被写体像を観察できるように設定されている。
【０００３】
このファインダー上にゴミや汚れなどの異物があった場合、被写体像の観察を妨げる要因となるため、従来から異物を取るための提案がされている。また外部からファインダー内への入光を防ぐための技術として公知のアイピースシャッターをファインダー内に内蔵したものや、別途ストラップなどに取り付けられている遮光カバーをファインダー部に装着するようにしたものも提案されている。
【０００４】
また、ファインダーを構成する複数の接眼レンズ内の異物を除去するために接眼レンズ部のカバー部材を着脱できるようにしたものや、接眼レンズ内に空気を送り込んで異物を除去するものも提案されている。
【０００５】
特許文献１では、ファインダーを構成する接眼レンズを保持するケースに対して着脱可能なキャップ（カバー部材）の取り付け機構に関する物が開示されている。
【０００６】
特許文献２では、ファインダー部の周辺の弾性部材を変形させることで、空気を接眼レンズ内に導入するようにしたものが開示されている。
【先行技術文献】
【特許文献】
【０００７】
【特許文献１】特開２００３−１３１２９１号公報
【特許文献２】特開２００２−３６９０４３号公報
【発明の概要】
【発明が解決しようとする課題】
【０００８】
しかしながら、上述の特許文献に開示された従来技術では、接眼レンズの異物を除去するために着脱可能なキャップ（カバー部材）を外す必要があるため、撮影現場の環境では余計に異物を混入させる可能性が高くなることや、接眼レンズ内に空気を送り込んでもファインダー内部の異物は取り除ける可能性は有るが、外面に露出している接眼レンズ面の異物を除去することは出来ないという課題がある。
【０００９】
被写体像を観察するためのファインダーを構成している接眼レンズに異物が付着していた場合には、異物の影響で被写体像が見えにくくなるために良好なファインダー観察状態を得られなくなる。特に撮影者側に面した接眼レンズはレンズ面が外面に露出しているために、接眼レンズの表面に異物が付着していることや、あるいは指で触ってしまったなど、汚れた状態になることが容易に発生する。そのような場合に撮影場所では直ぐに清掃出来ず、ファインダーを観察し難い状態で使用することになる。
【００１０】
ファインダー部の最終面にレンズパワーを持たない被写体光を透過可能なレンズカバー部材等を配置したとしても同様に撮影者側に一番近い側は外部に露出しているために、汚れやすいという問題がある。
【００１１】
また、ファインダー部から外光の入光を防ぐ技術としてアイピースシャッターや別途ストラップなどに取り付けられている遮光カバーをファインダー部に装着することは公知の技術であるが、アイピースシャッター無しカメラの場合前記遮光カバーを使用する時には、アイカップを外してから遮光カバーを取り付けるなど煩雑な作業が必要となる。またハンドストラップ使用時などで付属の遮光カバーが無い場合はファインダー逆入光を容易に防ぐことが出来なかった。
【００１２】
そこで、本発明の目的は、被写体像を観察するファインダー部の、特に外面に露出した接眼レンズの異物を迅速に除去できるとともに、外部からファインダー部への入光を遮光も同時に達成できるファインダー部に装着可能なアクセサリを提供することにある。
【課題を解決するための手段】
【００１３】
上記の目的を達成するために、本発明のアクセサリは、被写体像を観察するためのファインダー部と前記ファインダー部に装着されるアイカップと、前記アイカップには移動操作可能な操作部材と、前記操作部材の移動操作により、移動可能な伸縮部材を備えており、前記伸縮部材はファインダー部が被写体観察可能な第1の位置と、被写体観察不可能なファインダー部を覆う第２の位置まで移動可能であって、前記伸縮部材のファインダー部側は清掃に適した清掃面となっており、前記伸縮部材が第２の位置の時に、伸縮部材をファインダー部方向に押すことにより、伸縮部材の清掃面はファインダー部と接するとともに、押す方向によりファインダー部の形状に沿って移動できる伸縮性を有していることを特徴とする。
【００１４】
また、前記伸縮部材の撮影者側には回転操作可能な可動部材を備え、前記可動部材の操作により伸縮部材のファインダー部側の清掃面も回転動作するようになっており、前記操作部材の移動操作で伸縮部材を第２の位置に移動すると前記可動部材はファインダー部の中央位置付近に位置する
この状態で前記可動部材をファインダー部方向に押すと、伸縮部材の清掃面はファインダー部に接するとともに、可動部材を回転させることにより、伸縮部材の清掃面もファインダー部の形状に沿って回転移動するようにしたことを特徴とする。
【００１５】
また、被写体像を観察するためのファインダー部と前記ファインダー部に装着されるアイカップと、前記アイカップには移動操作可能な操作部材と、前記操作部材の移動操作により、移動可能な弾性部材と前記弾性部材に保持された伸縮部材を備えており、前記弾性部材及び伸縮部材はファインダー部が被写体観察可能な第1の位置と、被写体観察不可能なファインダー部を覆う第２の位置まで移動可能であって、前記操作部材の移動操作で弾性部材及び伸縮部材を第２の位置に移動すると、操作部材はファインダー部の中央位置付近に位置する
前記伸縮部材のファインダー部側は清掃に適した清掃面となっており、 この状態で操作部材をファインダー部方向に押すことにより、伸縮部材の清掃面はファインダー部と接するとともに、操作部材の回転操作により、ファインダー部の形状に沿って回転移動するようにしたことを特徴とする。
【００１６】
更には、前記弾性部材及び前記伸縮部材は遮光性を有しており、弾性部材及び伸縮部材が第２の位置の時には外光がファインダー部から入光しないようにしたことを特徴とする。
【発明の効果】
【００１７】
本発明のアクセサリによれば、アイカップに備えた伸縮部材でファインダー部を覆った状態で、外側から伸縮部材をファインダー部方向に押し、伸縮部材の清掃面がファインダー部に接した状態でファインダー部の形状に沿って移動させることで、ファインダー部の異物を除去すること機能を提供することができる。
【００１８】
また、アイカップに備えた伸縮部材でファインダー部を覆った状態で、伸縮部材の撮影者側に配置された回転操作可能な可動部材をファインダー部方向に押し、伸縮部材の清掃面がファインダー部に接した状態で可動部材を回転させることにより、伸縮部材の清掃面もファインダー部の形状に沿って回転移動することで、ファインダー部の異物を除去すること機能を提供することができる。
【００１９】
また、アイカップに備えた弾性部材及び伸縮部材でファインダー部を覆った状態で、伸縮部材の撮影者側に配置された回転操作可能な操作部材をファインダー部方向に押し、伸縮部材の清掃面がファインダー部に接した状態で操作部材を回転させることにより、伸縮部材の清掃面もファインダー部の形状に沿って回転移動することで、ファインダー部の異物を除去すること機能を提供することができる。
【００２０】
また、アイカップに備えた弾性部材及び伸縮部材は遮光性を有しており、前記弾性部材及び伸縮部材がファインダー部を覆う状態では外光がファインダー部から入光しないようにしたので、ファインダー部の異物除去とファインダー部への外光入光の遮光を兼ね備えた機能を提供することができる。
【図面の簡単な説明】
【００２１】
【図１】本発明の実施形態に係る、全体構成を示す概略図
【図２】本発明の実施形態に係る、ファインダー部の構成を示す図
【図３】本発明の実施形態に係る、アイカップ部の構成を示す図
【図４】本発明の実施形態に係る、アイカップ部の動作を示す図
【図５】本発明の実施形態に係る、弾性部材及び伸縮部材の構成を示す図
【図６】実施形態１に係る、ファインダー部清掃状態を示す図
【図７】実施形態２に係る、アイカップ部の構成を示す図（清掃前）
【図８】実施形態２に係る、アイカップ部の構成を示す図（清掃時）
【図９】実施形態２に係る、伸縮部材の伸縮変形を示す図（清掃時）
【図１０】実施形態３に係る、アイカップ部の構成を示す図（清掃前）
【図１１】実施形態３に係る、アイカップ部の構成を示す図（清掃時）
【図１２】実施形態３に係る、伸縮部材の伸縮変形を示す図（清掃時）
【発明を実施するための形態】
【００２２】
以下に、本発明の好ましい実施の形態を、添付の図面に基づいて詳細に説明する。
【００２３】
［実施形態１］
図１は本発明の実施の形態に係る、撮像装置の構成を示す概略図である。図２は本発明の実施の形態に係る、ファインダー部の構成を示す概略図である。
【００２４】
図１において、１００は撮像装置本体である。１３９は撮影者である。１０５は交換可能な撮影レンズであり、内部にフォーカシングやズーミングを行うレンズ群１０５ａ、レンズ群１０５ａの駆動を行うレンズ駆動部１０６、不図示の絞り装置を有している。１０７はイメージセンサとその周辺回路で構成された撮像素子である。
【００２５】
１１７は主ミラーであり、半透過ミラーとして構成されている。１２０はフォーカシングスクリーンであり、撮影レンズ１０５を透過した被写体像が結像される撮像素子１０７の結像面と等価の結像面に配置されている。１３６は被写体像の光路であり、撮影レンズ１０５を通過した被写体光束は、主ミラー１１７で反射され、フォーカシングスクリーン１２０に一次結像される。
【００２６】
１３７はファインダー光路であり、ファインダー光束が撮影者１３９に導かれるまでの光路を示している。ペンタダハプリズム１２１は、撮影レンズ１０５からの被写体像を、ファインダー光路１３７にするもので、フォーカシングスクリーン１２０に結像した被写体像を正立正像にする。１２２はファインダーであり、撮影者１３９がファインダー像を観察できるようになっている。
【００２７】
ここでファインダー１２２の構成を図２で説明する。１２３は第１レンズ、１２４は第２レンズ、１２５は第３レンズである。ペンタダハプリズム１２１に一番近い第１レンズ１２３と、ファインダー光路１３７の光軸方向に移動可能な第２レンズと、撮影者１３９に一番近い第３レンズで構成されており、この第１レンズ１２３から第３レンズ１２５までのレンズパワー設定でフォーカシングスクリーンに結像された被写体像を、撮影者１３９が観察する時のファインダー像の大きさ（ファインダー倍率）を設定している。また第２レンズを光軸方向に移動させる事で撮影者１３９の視度をフォーカシングスクリーン１２０の被写体像に合わせることができる。第３レンズ１２５の撮影者１３９側のレンズ面１２５ａは外面に露出している。
【００２８】
図１の説明に戻り１２６はアイカップであり、ファインダー１２２の外面側に装着可能となっている。アイカップ１２６は撮影者１３９がファインダーを観察する時に目の周辺部に接する部分は軟らかいゴムなどの弾性部材になっており、撮影者１３９がファインダー観察状態で外光がファインダー内に入光するのを軽減したり、撮影者がメガネを掛けている場合にはメガネに傷が付くのを軽減するため装着するファインダー観察用のアクセサリである。アイカップ１２６の構成に関しては、図３で後述する。
【００２９】
１２７は測光装置であり、不図示の測光絞り、測光レンズ、測光センサで構成されているものを測光装置１２７と称する。１３８は測光光路である。測光装置１２７に至る測光光束は、フォーカシングスクリーン１２０からの光束のうち、所定角度で拡散する光束が、ペンタプリズム１２１を介して測光装置１２３に到達する。
【００３０】
ファインダー内表示装置１１２は、導光プリズム１１３、ペンタプリズム１２１、ファインダー１２２を介して、ファインダー内に撮像装置の各種撮影情報（絞り値やシャッタ速度など）を表示することで撮影者１３９に報知するためのものである。１４０はファインダー内表示光路であり、ファインダー内表示光束が撮影者１３９に導かれるまでの光路を示している。
【００３１】
１１８はサブミラーである。主ミラー１１７を通過した被写体光束は、サブミラー１１８によって焦点検出装置１２９に導かれ、周知の位相差検出方式の焦点検出動作が行われる。撮影を行う際に撮影者１３９が不図示のレリーズスイッチ（以後ＳＷ）を押すと、主ミラー１１７は、ファインダー観察位置から撮影レンズ１０５を通る被写体光束の被写体光路１３６外に搖動退避し、撮影レンズ１０５からの被写体像を撮像素子１０７に露光可能状態になる。
【００３２】
フォーカルプレーンシャッタ（以後シャッタと称する）１１９は、通電によりシャッタ１１９の先幕を開放するマグネットＭＧ−１と、通電によりシャッタ１１９の後幕を閉じるマグネットＭＧ−２を備えている。撮影レンズ１０５によって集光された被写界光は、シャッタ１１９の先幕走行後、後幕が走行し始めるまでの時間（以後シャッタ秒時と称する）を制御することで、光量制御がなされ、撮像素子１０７によって被写体像として光電変換処理される。光電変換処理後の画像データは不図示の記録媒体に記録され、外部表示装置１１１に画像として表示される。
【００３３】
次に、図３及び図４を参照して、本実施の形態に係るアイカップ１２６の構成と動作について説明する。図３は第１の実施形態に係るアイカップ１２６の構成を示している。図３（ａ）は断面図、図３（ｂ）は正面透視図であり、アイカップがカメラに取り付けられていない状態を示している。図４は第１の実施形態に係るアイカップ１２６内の構成部品の動作と撮像装置本体１００のファインダー１２２との位置関係を示している。図４（ａ）は断面図、図４（ｂ）正面透視図であり、図4（ａ）断面図はカメラに取り付けられている状態を示している。
【００３４】
アイカップ１２６は撮像装置本体１００のファインダー１２２に取り付けられているが、図３（ａ）、図３（ｂ）のフレーム２１０とカバー２０５と、前記カバー２０５の周囲をアイカップゴム２０４で覆うように構成されている。フレーム２１０とカバー２０５とアイカップゴム２０４は接着あるいは嵌め込みによってそれぞれが一体化され固定されている。フレーム２１０とカバー２０５の間には本実施の形態に係る弾力性と遮光性を有する材料で作られている視野カバー２０２と、前記視野カバー２０２が待機または移動するスペース２０３を有している。
【００３５】
視野カバー２０２には伸縮部材２０６と前記伸縮部材２０６を操作する操作部材２０７が嵌め合いによって固定されている。ピン２０１は視野カバー２０２上部にカシメによって固定され、カメラ１００側に突起部２０１ａを有し、フレーム２１０の溝２１１を通るようになっている。更に伸縮部材２０６がスペース２０３の上端位置２０３ａと下端位置２０３ｂで一時停止するように、ピン２０１の突起部２０１ａが前記溝２１１の上凹部２１１ａと下凹部２１１ｂと係合するようになっている。図３ではファインダー観察が可能な状態を示しており、視野カバー２０２はスペース２０３の上端位置２０３ａで、ピン２０１の突起部２０１ａが前記溝２１１の上凹部２１１ａと係合している状態である。これにより、視野カバー２０２が視野枠２０８内へ不用意に入り込むこと防止している。
【００３６】
また、伸縮部材２０６と操作部材２０７の間にはバネ２０９が組み込まれ、前記バネ２０９は操作部材２０７の操作面部２０７ａをカバー２０５側に押し付けると同時に、伸縮部材２０６の清掃面２０６ａをフレーム２１０側に付勢しており、前記ピン２０１の突起部２０１ａが溝２１１の上凹部２１１ａに係合している状態で、視野カバー２０２全体にバネ２０９による付勢力でも、視野カバー２０２が視野枠２０８内へ不用意に入り込むことを防止している。
【００３７】
伸縮部材２０６と操作部材２０７の詳細の構成は図５にて後述する。図４（ａ）、図４（ｂ）は視野カバー２０２を視野枠２０８内に移動させた時の状態を示している。操作部材２０７の中央部には凹部２１２を有し、前記操作部材２０７を移動操作する時には前記凹部２１２の指または爪掛かりになり、操作し易くしている。但し、本実施形態の前記凹部２１２の形状は、前記操作部材２０７の機能目的を満足するのであればどのような形態であっても良い。操作部材２０７を下降させると、ピン２０１の突起部２０１ａが溝２１１の上凹部２１１ａから外れると同時に、視野カバー２０２は外形部２０２ａ、２０２ｂがスペース２０３の摺動部２０３ｅ、２０３ｆに沿って移動する。
【００３８】
前記の通り、視野カバー２０２と伸縮部材２０６は操作部材２０７と一体的に移動するため、結果として視野枠２０８全面が覆われ、視野カバー２０２がスペース２０３の下降端位置２０３ｂで停止する。この時ピン２０１の突起部２０１ａが溝２１１の下凹部２１１ｂと係合するような位置関係になっている。
【００３９】
視野カバー２０２がスペース２０３の下降端位置２０３ｂに位置している時に、操作部材２０７の中央部は、ファインダー１２２のファインダー光軸１３７と略同軸相当の位置となる。また前記操作部材２０７の形状は略円状であって、操作部材２０７は視野枠の略中心を回転する動作が可能になっている。
【００４０】
図５は本実施形態である清掃部の構成を示したものである。
【００４１】
視野カバー２０２は弾力性と遮光性を有し、ピン２０１を取り付ける孔部２１３と伸縮部材２０６を取り付ける孔部２１５が設けられている。ピン２０１は光を反射しにくい材料または表面処理を施し、視野カバー２０２にカシメ処理を行うことで固定されている。伸縮部材２０６は異物除去機能と弾力性及び遮光性を有し、視野カバー２０２の孔部２１５と伸縮部材２０６の略中心に配置した固定部２１４が嵌め合い寸法で取り付けられている。また前記固定部２１４の内径２２２と２箇所の凹部２２１と２箇所の孔部２２０が、操作部材２０７の略中心に配置した外径部２１７と２箇所の凸部２１８と２箇所の突起部２１９がそれぞれと嵌め合う構成になっている。
【００４２】
伸縮部材２０６の固定部２１４と操作部材２０７の外径部２１７の間にはバネ２０９が組み込まれており、操作部材２０７を押した時にはバネ２０９のバネ付勢力で伸縮部材２０６が押されてファインダー１２２方向に移動する。伸縮部材２０６がファインダー１２２のレンズ面１２５ａに接するとバネ２０９の付勢力でレンズ面１２５ａを押圧することになる。この時操作部材２０７を更に押し込むと、バネ２０９が収縮するとともに固定部２１４と外形部２１７の嵌め合い部内で押圧方向に移動する。
【００４３】
図４に示す視野カバー２０２と伸縮部材２０６の位置関係の時、図５に示すように視野カバーの凹部２１６に伸縮部材２０６の厚み方向の一部が収納される構成と視野カバー２０２によって、撮影者１３９側からファインダー１２２への逆入光を防止する。
【００４４】
図６は本実施形態のファインダー１２２の第３レンズ１２５のレンズ面１２５ａを清掃する時の伸縮部材２０６の清掃面２０６ａとレンズ面１２５ａが接している状態を示している。
【００４５】
操作部材２０７を矢印の方向のレンズ１２５側に押し込むと、視野カバー２０２と伸縮部材２０６の前記清掃面２０６ａとレンズ面１２５ａに当接するまで弾性変形し、前記伸縮部材２０６の前記清掃面２０６ａとレンズ面１２５ａが密着する。前記状態で操作部材２０７を回転させると伸縮部材２０６が連動し、レンズ面１２５ａ上の異物や汚れの除去を行う。伸縮部材２０６の機能低下の場合は伸縮部材２０６のみの交換を可能とし、伸縮部材２０６の形状は本実施形態に限定されない。
【００４６】
［実施形態２］
図７は第２の実施形態に係るアイカップ１２６の構成を示している正面透視図であり、アイカップがカメラに取り付けられていない状態である。
【００４７】
視野カバー２０２はフレーム２０２ｃ部と伸縮部材２０６が一体的に形成され、前記フレーム部２０２ｃには実施形態１と同様にピン２０１がカシメられている構成となっている。前記視野カバー２０２とフレーム２０２ｃとピン２０１は反射防止と遮光性を有し、かつ前記伸縮部材２０６は伸縮性と異物及び汚れを除去する性能を有する。
【００４８】
前記フレーム部２０２ｃはアーム部２０２ｄ軸部２０２ｅまでを含み、可動部材２３０と前記軸部２０２ｅが圧入方式で固定され、結果として前記可動部材２３０の移動と視野カバー２０２が連動する構成となっている。カバー２０５には前記軸部２０２ｅが通る孔部２０５ａが設けられ、前記軸部２０２ｅが孔部２０５ａの上端位置２０５ｂの時には、前記視野カバー２０２はスペース２０３の上端位置２０３ａとなっている。この時に実施形態１と同様にピン２０１の突起部が溝２１１の上凹部２１１ａと係合することで前記視野カバー２０２が待機状態で保持される。
【００４９】
図８は視野カバー２０２が下降端位置に移動し、視野枠２０８を覆った状態を示している。
【００５０】
可動部材２３０を図７の状態から下降させると、前記視野カバーの軸部２０２ｅは孔部２０５ａの下端位置２０５ｃとなり、視野カバー２０２は外形部２０２ａ、２０２ｂがスペース２０３の摺動部２０３ｅ、２０３ｆに沿って移動する。この時に実施形態１と同様にピン２０１の突起部が溝２１１の上凹部２１１ａから外れ、溝２１１の下凹部２１１ｂと係合することで前記視野カバー２０２が下降位置で保持される。同時に軸部２０２ｅは孔部２０５ａの下端位置２０５ｃに移動する。
【００５１】
前述の通り、視野カバー２０２と可動部材２３０は一体的に移動するため、結果として視野枠２０８全面が覆われ、視野カバー２０２がスペース２０３の下降端位置２０３ｂとなっている。
【００５２】
図９は視野カバー２０２が図８の下降端位置の時、伸縮部材２０６の視野枠２０８の範囲内を指でレンズ面１２５ａ側に押し付けると、前記伸縮部材２０６は指で押し当てられた部分が最大伸長し、レンズ面１２５ａ上に清掃面２０６ａが発生する。前記清掃面２０６ａが発生した状態で前記レンズ面１２５ａ上の前記清掃面２０６ａを移動させると、前記清掃面２０６ａに異物または汚れが付着し清掃することが出来る。レンズ面１２５ａ面上の清掃が終了し前記伸縮部材２０６から指を離すと、前記伸縮部材２０６は元の略平面状態に戻る。
【００５３】
［実施形態３］
図１０は前述の実施形態２の構成で伸縮部材２０６の一部の構成を変更したもので視野カバー２０２が上端部の待機状態であることを示している。図１１は前記視野カバー２０２が下端部の清掃時状態であることを示している。ここでは伸縮部材２０６の変更点を図１２を用いて説明する。
【００５４】
図１２は視野カバー２０２が下端部の清掃時状態を示している。伸縮部材２０６は伸縮性と異物及び汚れを除去する性能と遮光性を有し、視野枠２０８の略中央に指当て部２０７ｃが一体成型されている。前記指当て部２０７ｃを指でレンズ面１２５ａ側に押し付けると前記伸縮部材２０６とレンズ面１２５ａに清掃面２０６ａが発生する。前記清掃面２０６ａが発生した状態で前記レンズ面１２５ａ上の清掃面２０６ａを移動させると、前記清掃面２０６ａに異物または汚れが付着し清掃することが出来る。レンズ面１２５ａ面上の清掃が終了し前記伸縮部材２０６から指を離すと、前記伸縮部材２０６は元の略平面状態に戻る。
【００５５】
本実施形態では伸縮部材２０６と指当て部２０７ｃが一体的に形成されているが、前記伸縮部材２０６の視野枠２０８の略中央位置に孔を設け、レンズ面１２５ａの前記清掃面２０６ａを含む部材と指当て部を一体的に形成するようにしても良い。
【符号の説明】
【００５６】
１２２  ファインダー、１２６ アイカップ、１２５  第３レンズ、
１２５ａ  レンズ面、２０２  視野カバー、２０６  伸縮部材、２０６ａ  清掃面、
２０７  操作部材、２３０  可動部材
【図２】
2016206566.tif 000003
【図１】
2016206566.tif 000004
【図３】
2016206566.tif 000005
【図４】
2016206566.tif 000006
【図５】
2016206566.tif 000007
【図６】
2016206566.tif 000008
【図７】
2016206566.tif 000009
【図８】
2016206566.tif 000010
【図９】
2016206566.tif 000011
【図１０】
2016206566.tif 000012
【図１１】
2016206566.tif 000013
【図１２】
2016206566.tif 000014